(57)【要約】【課題】  駆動ユニットから受けるノイズを防止することができるように回路基板を取り付けた電子機器を提供する。【解決手段】  駆動ユニット２と、この駆動ユニット２を制御する電子部品４を実装した回路基板５とを備える。回路基板５は両面に導電性の回路パターンを形成し、その回路基板５の片面にのみ電子部品４を実装する。回路基板５は非実装面を駆動ユニット２に向けて取り付けることで、駆動ユニット２から受けるノイズを回路基板５で遮蔽する。これにより、回路基板５に実装する電子部品４に対する駆動ユニット２のノイズを低減することができる。また、回路基板５の非実装面を駆動ユニット２側に向けることにより、装置側の設計の自由度を上げる。【選択図】      図１
2005174492.tif 000002
【特許請求の範囲】
【請求項１】
駆動ユニットを備えた電子機器であって、この駆動ユニットを制御する各種電子部品を実装した回路基板を備え、その回路基板の片面のみに前記各種電子部品を実装し、前記回路基板の他方の面には電子部品を実装せず導電性の回路パターンを形成し、前記回路基板の非実装面を前記駆動ユニット側に向けて取り付けたことを特徴する回路基板を備えた電子機器。
【請求項２】
前記回路基板の非実装面に黒色の放熱層をシルク印刷して形成したことを特徴とする請求項１記載の回路基板を備えた電子機器。
【請求項３】
光ディスク駆動ユニットを備えた光ディスク記録再生装置であって、この光ディスク駆動ユニットを制御する各種電子部品を実装した回路基板を備え、その回路基板の片面のみに前記各種電子部品を実装し、前記回路基板の他方の面には電子部品を実装せず導電性の回路パターンを形成し、前記回路基板の回路パターン形成面を前記光ディスク駆動ユニット側に向けて取り付けたことを特徴する光ディスク記録再生装置。
【発明の詳細な説明】
【技術分野】
【０００１】
本発明は、片面のみ部品を実装した回路基板の部品非実装面をユニット側にして取り付けた電子機器に関し、特に、光ディスク再生装置などの電子機器において、駆動ユニットから発生するノイズを抑制するように、一方の面のみに部品を実装し他方の面にはパターンを配線した回路基板のパターン配線面をユニット側にして取り付けた回路基板を備えた電子機器及び光ディスク記録再生装置に関する。
【背景技術】
【０００２】
従来、電子機器には、これを制御する回路基板が組み込まれており、このような回路基板は、表面がレジスト処理をされた状態のまま、或いは、絶縁板のままであることが多く、通常、この状態ではプリント基板の表面は緑色等の有色である。このプリント基板上に抵抗、トランジスタや集積回路などといった各種電子部品を実装されている。このような電子機器に組み込まれる回路基板として、特許文献１には、プリント基板に半田付けされる集積回路等のＩＣ実装部品に設けられた冷却用の端子が半田付けされる半田付け部を設けたプリント基板上の銅箔の放熱パターンを形成するとともに、この放熱パターン上にシルク印刷等の手段によって黒色の放熱層を形成した放熱プリント基板が開示されている。
そして、このような回路基板においては、両面実装する技術は広く実施されているものであり、特許文献２には、メモリ素子を三次元的に配置する技術が開示され、特許文献３には、一方の面にベースモデル回路を配置し、他方の面にオプション回路を配置する技術が開示されている。
【０００３】
【特許文献１】実開平６−１１３７２号公報
【特許文献２】特開２００３−１６８８５２号公報
【特許文献３】特開２００３−１１５６４７号公報
【発明の開示】
【発明が解決しようとする課題】
【０００４】
ところで、ＤＶＤ（Ｄｉｇｉｔａｌ  Ｖｅｒｓａｔｉｌｅ  Ｄｉｓｃ）又はＣＤ（Ｃｏｍｐａｃｔ  Ｄｉｓｃ）等の光ディスクに記録されている映像又は音声を再生する光ディスク再生装置においては、一般的に、光記録ディスクをターンテーブルで回転させ、その光ディスクに記録された情報を読み取るピックアップを光ディスクの半径方向に移動させながら光ディスクのトラックに記憶された映像又は音声等の情報を再生するようにしている。
【０００５】
この種の光ディスク再生装置は、ピックアップを光ディスクの半径方向に移動させる際の駆動ノイズや光ディスク回転時の駆動ノイズが、回路基板に実装されたデジタル処理集積回路に影響する。このことから、光ディスク再生装置においては、前述した電子部品からの発熱に対する熱対策もさることながら、ノイズ対策は極めて重要である。
【０００６】
本発明は上記課題を鑑みてなされたものであり、駆動ユニットから受けるノイズの影響を防止することができるように回路基板を取り付けた電子機器を提供することを目的とする。さらには、同時に、放熱効果をも向上させた電子機器を提供することを目的とする。
【課題を解決するための手段】
【０００７】
請求項１に係る電子機器は、駆動ユニットを備えた電子機器であって、この駆動ユニットを制御する各種電子部品を実装した回路基板を備え、その回路基板の片面のみに前記各種電子部品を実装し、前記回路基板の他方の面には電子部品を実装せず導電性の回路パターンを形成し、前記回路基板の非実装面を前記駆動ユニット側に向けて取り付けたことを特徴する。
【０００８】
請求項１の構成によれば、回路基板の実装面が駆動ユニットの反対面に位置しているから、駆動ユニットから発生するノイズが回路基板で遮蔽され、回路基板に実装された電子部品に与える駆動ユニットからのノイズを抑えることがで、装置側の設計が回路基板上の電子部品に影響されず自由度を高めることができる。
【０００９】
請求項２に係る回路基板を備えた電子機器は、請求項１記載の回路基板を備えた電子機器において、前記回路基板の非実装面に黒色の放熱層をシルク印刷して形成したことを特徴とする。
【００１０】
請求項２の構成によれば、回路基板に黒色の放熱層を設けたので、この黒色放熱層の放熱効果により、実装部品の冷却効果が高まる。
【００１１】
請求項３に係る光ディスク記録再生装置は、光ディスク駆動ユニットを備えた光ディスク記録再生装置であって、この光ディスク駆動ユニットを制御する各種電子部品を実装した回路基板を備え、その回路基板の片面のみに前記各種電子部品を実装し、前記回路基板の他方の面には電子部品を実装せず導電性の回路パターンを形成し、前記回路基板の回路パターン形成面を前記光ディスク駆動ユニット側に向けて取り付けたことを特徴する。
【００１２】
請求項３の構成によれば、回路基板に実装されたデジタル処理集積回路が、回路基板自身によって、光ディスク記録再生装置のピックアップが光ディスクの半径方向に移動する際の駆動ノイズや、光ディスク回転時の駆動ノイズを受けることを抑えることができ、光ディスク記録再生装置側の設計が回路基板上の電子部品に影響されず自由度を高めることができる。
【発明の効果】
【００１３】
請求項１の電子機器によれば、電子機器の駆動ユニットを制御する各種電子部品を実装した回路基板を備え、その回路基板の片面のみに各種電子部品を実装し、回路基板の他方の面には電子部品を実装せず導電性の回路パターンを形成し、回路基板の非実装面を駆動ユニット側に向けて取り付けたので、駆動ユニットからのノイズを回路基板で遮蔽し、駆動ユニットからのノイズを抑制することができるとともに、回路基板に実装する各種電子部品と駆動ユニットとの位置関係を考慮する必要がなくなるから、回路基板の設計の自由度が高まる。
【００１４】
請求項２の電子機器によれば、回路基板の非実装面に黒色の放熱層をシルク印刷して形成したので、回路基板に設けられた黒色の放熱層の放熱効果により、実装部品の冷却効果を高めることができるとともに、実装面か非実装面であるかを一見して判断できるから、作業性が向上し、生産効率も向上する。
【００１５】
請求項３の光ディスク記録再生装置によれば、ＤＶＤ駆動ユニットを制御する各種電子部品を実装した回路基板を備え、その回路基板の片面のみに各種電子部品を実装し、回路基板の他方の面には電子部品を実装せず導電性の回路パターンを形成し、回路基板の回路パターン形成面をＤＶＤ駆動ユニット側に向けて取り付けているので、光ディスク再生装置において、ピックアップが光ディスクの半径方向に移動する際の駆動ノイズや、光ディスク回転時の駆動ノイズを受けることを抑えることができるとともに、回路基板に実装する各種電子部品とピックアップやＤＶＤ駆動ユニットとの位置関係を考慮する必要がなくなるから、回路基板の設計の自由度が高まる。
【発明を実施するための最良の形態】
【００１６】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
また、本発明においては、回路基板を電子機器に対して具体的にどのような手段によって取り付けるかを対象としていないことから、その取り付け手段は図示していないが、この回路基板の取り付けは、従来の手法により当業者であれば適宜設計できるものである。
【００１７】
図１は、本発明に係る光ディスク再生装置１の正面図である。光ディスク再生装置１の駆動ユニット２は、光ディスクを回転させるターンテーブル、光ディスクに記憶された映像や音声を読み取るピックアップ、このピックアップユニットを光ディスクの半径方向に移動させる移動ユニットなどを主要に構成されている。この駆動ユニット２の下部にはシールド板３が固定され、その下部に光ディスク再生装置１を制御する集積回路などの電子部品４を実装する回路基板５が並設されている。なお、図１においては、回路基板５がシールド板３を介して駆動ユニット２に固定されている場合を示しているが、図２に示すように、駆動ユニット２の下部に回路基板５を直接的に固定し、この回路基板５を覆うようにしてシールド板３を駆動ユニット２に固定する構造であってもよい。
【００１８】
図３は、本発明に用いられる回路基板５の一例を示すものであり、回路基板の両面には銅箔などの導電性材料からなる回路パターン（回路パターンそのものは図示せず）が印刷形成され、その回路基板の片面側（図３の裏面）には各種電子部品が実装され、回路基板の非実装面（図３で図示している面）には、回路パターンを覆うように黒色の放熱層７が設けられる。なお、この放熱層７の形成手段としては、従来から行われている回路パターンに半田をのせない部分に対してシルク印刷等の手段で、回路基板の回路パターンが透視できるように形成する半透明なソルダーレジストを、黒色の塗料に代えることで、形成することができる。なお、放熱層７は図３中において網点で示し、図３中の斜線部分８は機構パーツ逃げ部、電子部品の自動挿入部品禁止部、部品外形、ランド、及びクリンチ禁止部の表示として回路基板に印刷されている部分を示している。機構パーツ逃げ部８は各作業工程においてこの部分に誤って異物が乗せられることがないように注意を促すものである。このように、回路基板５は、両面に回路パターンを印刷形成しているが、その片面側にのみ電子部品を実装し、非実装面を駆動ユニット側に向けて図示しない取付フレームなどによって回路基板を固定する。
【００１９】
以上のように、回路基板５の実装面が駆動ユニット２の反対面に位置しているから、回路基板５に実装された電子部品４に与える駆動ユニット２からのノイズを可及的に抑制することができる。特に、光ディスク再生装置１にあっては、ピックアップが光ディスクの半径方向に移動する際の駆動ノイズや、光ディスク回転時の駆動ノイズが、回路基板５に実装されたデジタル処理集積回路などの電子部品４に悪影響を与えるが、本実施例のように、回路基板５の実装面を駆動ユニット２の反対面に位置させ、回路基板５の非実装面を駆動ユニット２側に固定することで、駆動ユニット２から受ける電子部品４へのノイズの影響を効果的に抑制することができる。さらに、駆動ユニット２側には電子部品４が実装されていないから、駆動ユニット２に対する回路基板５の電子部品４の位置関係を考慮する必要がなく、回路基板５の回路パターンを自由に設定することができ、回路基板５の設計の自由度が高まる。
【００２０】
さらに、回路基板５の非実装面には黒色の放熱層がシルク印刷によって形成されているから、この黒色放熱層の放熱効果により、回路基板５に実装した電子部品４の冷却効果を高めることができるとともに、実装面か非実装面であるかを一見して判断できるから、作業性が向上し、生産効率も向上する。
【図面の簡単な説明】
【００２１】
【図１】本発明の光ディスク再生装置の正面図である。
【図２】本発明の光ディスク再生装置の変形例を示す正面図である。
【図３】本発明の光ディスク再生装置に取り付けられる回路基板の部品非実装面を示す正面図である。
【符号の説明】
【００２２】
１  光ディスク再生装置
２  駆動ユニット
４  電子部品
７  放熱層
【図１】
2005174492.tif 000003
【図２】
2005174492.tif 000004
【図３】
2005174492.tif 000005